(57)【要約】【課題】強度が弱い材料を用いてもその強度を高めることができる載置台を提供する。【解決手段】本発明の載置台１は、四方に配置された４つの側面部２，３，４，５と、４つの側面部２，３，４，５に囲まれていない上方及び下方のうち少なくとも上方に配置される蓋面部６，７と、により構成されており、４つの側面部２，３，４，５のうちの右側面部３及び左側面部５は、少なくとも１組の谷折り線１０を有しており、右側面部３及び左側面部５における１組の谷折り線１０は、それらの各上方部の間隔がそれらの各下方部の間隔よりも近づくように傾いていることを特徴とする。【選択図】図１
2017148198.tif 000002
【特許請求の範囲】
【請求項１】
四方に配置された４つの側面部と、前記４つの側面部に囲まれていない上方及び下方のうち少なくとも前記上方に配置される蓋面部と、により構成されており、
前記４つの側面部のうちの右側面部及び左側面部は、少なくとも１組の谷折り線を有しており、
前記右側面部及び前記左側面部における前記１組の谷折り線は、それらの各上方部の間隔がそれらの各下方部の間隔よりも近づくように傾いている
ことを特徴とする載置台。
【請求項２】
前記４つの側面部のうちの正面部及び背面部は、少なくとも１組の谷折り線を有しており、
前記正面部及び前記背面部における前記１組の谷折り線は、それらの各下方部の間隔がそれらの各上方部の間隔よりも近づくように傾いている
ことを特徴とする請求項１に記載の載置台。
【請求項３】
前記４つの側面部は、前記谷折り線で折り畳まれていないときに、長方形状に形成されており、
前記１組の谷折り線は、前記右側面部及び前記左側面部の上辺の中点からそれらの下辺の各端部の間、又は、前記正面部及び前記背面部の下辺の中点からそれらの上辺の各端部の間、に配置される
ことを特徴とする請求項１又は請求項２に記載の載置台。
【請求項４】
前記４つの側面部は、前記谷折り線で折り畳まれていないときに、同じ大きさの長方形状に形成されており、
前記１組の谷折り線は、前記右側面部及び前記左側面部の上辺の中点からそれらの下辺の各端部の間、並びに、前記正面部及び前記背面部の下辺の中点からそれらの上辺の各端部の間、にそれぞれ配置されており、
前記４つの側面部のうちのある１つの前記側面部に配置された前記谷折り線は、前記谷折り線で折り畳まれたときに、前記ある１つの前記側面部に隣接する他の２つの前記側面部に配置された近接する前記谷折り線と互いに接触する
ことを特徴とする請求項２に記載の載置台。
【請求項５】
前記右側面部及び／若しくは前記左側面部の上方に接続する第１フラップ部、並びに／又は、前記正面部及び／若しくは前記背面部の下方に接続する第２フラップ部、を更に備える
ことを特徴とする請求項１から請求項４のいずれか１項に記載の載置台。
【請求項６】
前記第１フラップ部及び／又は前記第２フラップ部は、前記右側面部及び／若しくは前記左側面部の境界線、並びに／又は、前記正面部及び／若しくは前記背面部の境界線から伸びる１又は２以上の谷折り線を有しており、
前記第１フラップ部及び／又は前記第２フラップ部は、前記谷折り線が折り曲げられたとき、前記境界線に接触する
ことを特徴とする請求項５に記載の載置台。
【請求項７】
前記第１フラップ部及び／又は前記第２フラップ部は、前記谷折り線が折り曲げられたとき、前記右側面部若しくは前記左側面部の上方側頂点間又は前記正面部若しくは前記背面部の下方側頂点間の付近に配置される側辺を有する
ことを特徴とする請求項６に記載の載置台。
【請求項８】
前記蓋面部は、前記正面部若しくは前記背面部の上方、及び／又は、前記右側面部若しくは前記左側面部の下方、に接続していると共に、前記右側面部若しくは前記左側面部の上方側頂点間、又は、前記正面部若しくは前記背面部の下方側頂点間、に配置される各側辺を有する
ことを特徴とする請求項１から請求項７のいずれか１項に記載の載置台。
【請求項９】
前記蓋面部は、
前記正面部若しくは前記背面部の上方のどちらか一方、及び／又は、前記右側面部若しくは前記左側面部の下方のどちらか一方に接続される内蓋面部と、
前記正面部若しくは前記背面部の上方のどちらか他方、及び／又は、前記右側面部若しくは前記左側面部の下方のどちらか他方に接続される外蓋面部と、
により構成されている
ことを特徴とする請求項８に記載の載置台。
【請求項１０】
前記蓋面部又は前記内蓋面部は、開口部を有する
ことを特徴とする請求項１から請求項９のいずれか１項に記載の載置台。
【請求項１１】
ダンボール板若しくはプラスティック板などの可撓板、又は、前記折り線に沿って形作られた剛性板と前記剛性板を折り畳み自在に接続する接続部材とにより構成された複合板、を用いて構成されていると共に、
前記折り線を折り曲げることにより展開状態から使用状態へ相互に変形自在に構成されている
ことを特徴とする請求項１から請求項１０のいずれか１項に記載の載置台。
【発明の詳細な説明】
【技術分野】
【０００１】
本発明は、載置台に係り、特に、軽量及び折り畳みの特徴を活かして被災地などの移動先に大量に持ち運びしやすい椅子やテーブルとして好適に利用できる載置台に関する。
【背景技術】
【０００２】
従来の折り畳み椅子は、折り畳まれた状態と展開状態を有する。この従来の折り畳み椅子は、展開した状態において、横切断面に順次つながったＶ字型形状が現れて、Ｖ字型の頂の両側の側面が支脚を形成する。また、この従来の折り畳み椅子は、折り畳まれた状態において、基本的に平板状を形成する支持部分と、少なくとも一端が支持部分の一方とつながっている蓋部を有する（特許文献１の図１、図３、図５及び図６を参照）。
【先行技術文献】
【特許文献】
【０００３】
【特許文献１】特開２０１３−５２６３０５号公報
【発明の概要】
【発明が解決しようとする課題】
【０００４】
しかしながら、従来技術においては、段ボール材等の強度が弱い材料を用いた載置台の強度を高める技術的アイディアをすべて開示しているとは言えない。
【０００５】
そこで、本発明はこれらの点に鑑みてなされたものであり、強度が弱い材料を用いてもその強度を高めることができる載置台を提供することを本発明の目的としている。
【課題を解決するための手段】
【０００６】
（１）前述した目的を達成するため、本発明の載置台は、四方に配置された４つの側面部と、４つの側面部に囲まれていない上方及び下方のうち少なくとも上方に配置される蓋面部と、により構成されており、４つの側面部のうちの右側面部及び左側面部は、少なくとも１組の谷折り線を有しており、右側面部及び左側面部における１組の谷折り線は、それらの各上方部の間隔がそれらの各下方部の間隔よりも近づくように傾いていることを特徴とする。
【０００７】
これにより、１組の谷折り線に基づき折り畳まれた右側面部及び左側面部の断面がその上方から下方に向かって広がる略コの字断面になるため、右側面部及び左側面部における上下方向及び横方向の強度を同時に高めることができる。その結果、本発明の載置台は従来の載置台と比較してその上下方向及び横方向の強度を高めることができるので、椅子、テーブル、作業台、踏み台などとして使用することができる。
【０００８】
（２）また、本発明の載置台において、４つの側面部のうちの正面部及び背面部は、少なくとも１組の谷折り線を有しており、正面部及び背面部における１組の谷折り線は、それらの各下方部の間隔がそれらの各上方部の間隔よりも近づくように傾いていることを特徴とすることが好ましい。
【０００９】
これにより、１組の谷折り線に基づき折り畳まれた正面部及び背面部の断面がその下方から上方に向かって広がる略コの字断面になると共に、正面部及び背面部の略コの字断面の広がり方が右側面部及び左側面部における略コの字断面の広がり方に対して逆向きになる。そのため、略コの字断面が交互に配置されるので、略コの字断面の同方向配置と比較して、本発明の載置台の形状を上方に先細りさせることなくその強度をさらに高めることができる。
【００１０】
（３）また、本発明の載置台において、４つの側面部は、谷折り線で折り畳まれていないときに、長方形状に形成されており、１組の谷折り線は、右側面部及び左側面部の上辺の中点からそれらの下辺の各端部の間、又は、正面部及び背面部の下辺の中点からそれらの上辺の各端部の間、に配置されることを特徴とすることが好ましい。
【００１１】
これにより、上記した略コの字断面を有する側面部の形状を長方形にすることができるので、本発明の載置台の展開図を直方体形状の箱の展開図に近づけることができる。
【００１２】
（４）また、本発明の載置台において、４つの側面部は、谷折り線で折り畳まれていないときに、同じ大きさの長方形状に形成されており、１組の谷折り線は、右側面部及び左側面部の上辺の中点からそれらの下辺の各端部の間、並びに、正面部及び背面部の下辺の中点からそれらの上辺の各端部の間、にそれぞれ配置されており、４つの側面部のうちのある１つの側面部に配置された谷折り線は、谷折り線で折り畳まれたときに、ある１つの側面部に隣接する他の２つの側面部に配置された近接する谷折り線と互いに接触することを特徴とすることが好ましい。
【００１３】
これにより、４つの側面部が接触することによりそれら４つの側面部が互いに支え合うため、本発明の載置台の強度をさらに高めることができる。
【００１４】
（５）また、本発明の載置台は、右側面部及び／若しくは左側面部の上方に接続する第１フラップ部、並びに／又は、正面部及び／若しくは背面部の下方に接続する第２フラップ部、を更に備えることを特徴とすることが好ましい。
【００１５】
これにより、フラップ部が側面部の横方向に対するスタビライザーとなるため、谷折り線に基づき谷折りされた側面部が横方向に揺動することを防止することができる。
【００１６】
（６）また、本発明の載置台において、第１フラップ部及び／又は第２フラップ部は、右側面部及び／若しくは左側面部の境界線、並びに／又は、正面部及び／若しくは背面部の境界線から伸びる１又は２以上の谷折り線を有しており、第１フラップ部及び／又は第２フラップ部は、谷折り線が折り曲げられたとき、境界線に接触することを特徴とすることが好ましい。
【００１７】
これにより、谷折り線を有する側面部が境界線を介してフラップ部を支持するので、フラップ部の上に重なる蓋面部の補強板としてフラップ部を構成することができる。
【００１８】
（７）また、本発明の載置台において、第１フラップ部及び／又は第２フラップ部は、谷折り線が折り曲げられたとき、右側面部若しくは左側面部の上方側頂点間又は正面部若しくは背面部の下方側頂点間の付近に配置される側辺を有することが好ましい。
【００１９】
これにより、谷折り線を有する側面部が境界線を介して支持するフラップ部の面積が最大化するので、フラップ部が接続された側面部の揺動防止及び蓋面部の補強をいずれも最大化することができる。
【００２０】
（８）また、本発明の載置台において、蓋面部は、正面部若しくは背面部の上方、及び／又は、右側面部若しくは左側面部の下方、に接続していると共に、右側面部若しくは左側面部の上方側頂点間、又は、正面部若しくは背面部の下方側頂点間、に配置される各側辺を有することを特徴とすることが好ましい。
【００２１】
これにより、谷折り線を有する側面部が境界線を介して蓋面部を支持するので、蓋面部の強度を下げることなくその蓋面部の面積を最大化することができる。また、本発明の載置台の形状を略四角柱に近づけることができる。
【００２２】
（９）また、本発明の載置台において、蓋面部は、正面部若しくは背面部の上方のどちらか一方、及び／又は、右側面部若しくは左側面部の下方のどちらか一方に接続される内蓋面部と、正面部若しくは背面部の上方のどちらか他方、及び／又は、右側面部若しくは左側面部の下方のどちらか他方に接続される外蓋面部と、により構成されていることを特徴とすることが好ましい。
【００２３】
これにより、蓋面部が上方又は下方の同方向において２枚構造になるため、蓋面部の強度を高めることができる。
【００２４】
（１０）また、本発明の載置台において、蓋面部又は内蓋面部は、開口部を有することを特徴とすることが好ましい。
【００２５】
これにより、蓋面部を開けることなく、又は、外蓋面部を開けるだけで、本発明の載置台を収納箱として使用することができる。
【００２６】
（１１）また、本発明の載置台は、ダンボール板若しくはプラスティック板などの可撓板、又は、折り線に沿って形作られた剛性板と剛性板を折り畳み自在に接続する接続部材とにより構成された複合板、を用いて構成されていると共に、折り線を折り曲げることにより展開状態から使用状態へ相互に変形自在に構成されていることを特徴とすることが好ましい。
【００２７】
これにより、台として使用するには強度が弱い材料を用いた場合でも載置台の強度を高めることができる。
【発明の効果】
【００２８】
本発明の載置台によれば、載置台の強度を高める構造を利用することにより、強度が弱い材料を用いても載置台の強度を高めることができるという効果を奏する。
【図面の簡単な説明】
【００２９】
【図１】図１は、本実施形態の載置台の使用状態を示す斜視図である。
【図２】図２は、本実施形態の載置台の展開状態を示す展開図である。
【図３】図３は、本実施形態の載置台における展開状態から使用状態への変形をＡからＨの順に示す斜視図である。なお、第１フラップ部及び第２フラップ部の記載を省略している。また、第２内蓋面部及び第２外蓋面部の配置が図２と逆である。
【図４】図４は、本実施形態の載置台の使用状態を示す正面図である。
【図５】図５は、本実施形態の載置台の使用状態を示す右側面図である。
【図６】図６は、本実施形態の載置台の使用状態を示す背面図である。
【図７】図７は、本実施形態の載置台の使用状態を示す左側面図である。
【図８】図８は、本実施形態の載置台の使用状態を示す平面図である。
【図９】図９は、本実施形態の載置台の使用状態を示す底面図である。
【図１０】図１０は、本実施形態の載置台の使用状態においてその載置台の内部を示す斜視図である。
【図１１】図１１は、本実施形態の第１フラップ部の折り畳み構造を示す右側面図である。
【図１２】図１２は、他の実施形態の載置台の展開状態を示す展開図である。
【図１３】図１３は、他の実施形態の第１フラップ部の折り畳み構造を示す右側面部方向から見た斜視図である。
【発明を実施するための形態】
【００３０】
以下、本発明の載置台をその一実施形態により説明する。
【００３１】
［１］全体の構成
本実施形態の載置台１は、図１から図１１に示すように、少なくとも、４つの側面部２，３，４，５と、１つ以上の蓋面部６，７と、を備える。本実施形態の場合、載置台１は、４つの側面部２，３，４，５と、２つの蓋面部６，７と、２つの第１フラップ部８と、２つの第２フラップ部９と、を備える略直方体形の箱状に構成されていることが好ましい。
【００３２】
また、本実施形態の載置台１は、図２に示す展開状態の載置台１に設けられた折り線１０、２０を折り曲げることにより、図３に示すように、展開状態から使用状態へ相互に変形自在に構成されていることが好ましい。ただし、他の実施形態の載置台１は、その使用状態から展開状態に変形せず、図１などに示すようなその使用状態を維持したままでもよい。
【００３３】
この載置台１は、その展開状態から使用状態へ相互に変形自在に構成されている場合、可撓板又は複合板を用いて構成されていることが好ましい。本実施形態において、可撓板とは、ダンボール板若しくはプラスティック板などの折り曲げ変形が自在に行える剛性板を意味する。複合板とは、折り線に沿って形作られた剛性板と、剛性板を折り畳み自在に接続する接続部材と、により構成されたものを意味する。複合板の例としては、複数の木板及び一枚の布により構成された複合板材である。複数の木板は折り線に沿って切り取られている。また、複数の木板の各裏面は上記した一枚の布に接着されている。その布は載置台１の展開図の外周に沿って切り取られている。
【００３４】
［１−１］側面部２，３，４，５
４つの側面部２，３，４，５は、谷折り線１０で折り畳まれていないときに、多角形状にそれぞれ形成されている。本実施形態の場合、４つの側面部２，３，４，５は、図２に示すように、谷折り線１０で折り畳まれていないとき（すなわち載置台１の展開状態のとき）に、長方形状にそれぞれ形成されていることが好ましい。更に、４つの側面部２，３，４，５は、図２に示すように、谷折り線１０で折り畳まれていないとき（すなわち載置台１の展開状態のとき）に、同一の大きさにそれぞれ形成されていることが好ましい。４つの側面部２，３，４，５が同一の大きさの長方形状である場合、４つの側面部２，３，４，５の上辺及び下辺は、図形の特性上、同一の長さになる。
【００３５】
これら４つの側面部２，３，４，５は、図１に示すように、載置台１の中心を基準として四方に配置されている。４つの側面部２，３，４，５は、図４から図７に示すように、右側面部３、左側面部５、正面部２及び背面部４により構成されている。
【００３６】
なお、右側面部３、左側面部５及び背面部４は、明細書の説明のため、任意に選択された１つの側面部を正面部２としてそれぞれ命名されたものである。そのため、載置台１の使用状態において、載置台１の向きを変えることにより、それらの名称を適宜交換することが可能である。
【００３７】
［１−１−１］右側面部３及び左側面部５
右側面部３及び左側面部５は、図１、図２、図５及び図７に示すように、少なくとも１組の谷折り線１０を有している。この１組の谷折り線１０は、それらの各上方部の間隔がそれらの各下方部の間隔よりも近づくように傾いている。１組の谷折り線１０を用いて構成される図形としては、例えば、三角形や台形などである。
【００３８】
本実施形態の右側面部３及び左側面部５が長方形状に形成される場合、右側面部３及び左側面部５に設けられた１組の谷折り線１０は、右側面部３及び左側面部５の上辺３１，５１の中点３１Ｍ，５１Ｍからそれらの下辺３２，５２の各端部３２Ｅ，５２Ｅの間に配置されることが好ましい。この場合、図２に示すように、１組の谷折り線１０を用いて構成される図形は二等辺三角形となり、１組の谷折り線１０はその二等辺三角形の２つの等辺となる。本実施形態の載置台１の使用状態において、右側面部３及び左側面部５における二等辺三角形状の内面は、図１及び図１０に示すように、１組の谷折り線１０が谷折りされることにより、載置台１の内側に傾くように配置される。
【００３９】
［１−１−２］正面部２及び背面部４
正面部２及び背面部４は、図１、図２、図４及び図６に示すように、少なくとも１組の谷折り線１０を有している。この１組の谷折り線１０は、それらの各下方部の間隔がそれらの各上方部の間隔よりも近づくように傾いている。１組の谷折り線１０を用いて構成される図形としては、例えば、三角形や台形である。ただし、正面部２及び背面部４において１組の谷折り線１０を用いて構成される図形は、右側面部３及び左側面部５において１組の谷折り線１０を用いて構成される図形に対して、上下逆向きとなる。
【００４０】
本実施形態の正面部２及び背面部４が長方形状に形成される場合、正面部２及び背面部４に設けられた１組の谷折り線１０は、正面部２及び背面部４の下辺２２，４２の中点２２Ｍ，４２Ｍからそれらの上辺２１，４１の各端部２１Ｅ，４１Ｅの間に配置されることが好ましい。この場合、図２に示すように、１組の谷折り線１０を用いて構成される図形は逆向きの二等辺三角形となり、１組の谷折り線１０はその逆向きの二等辺三角形の２つの等辺となる。本実施形態の載置台１の使用状態において、正面部２及び背面部４における二等辺三角形状の内面は、図１に示すように、１組の谷折り線１０が谷折りされることにより、載置台１の内側に傾くように配置される。
【００４１】
１組の谷折り線１０は、４つの側面部２，３，４，５のうち、右側面部３及び左側面部５の対、又は、正面部２及び背面部４の対のどちらか一方の対にあってもよいし、それら両方の対にあってもよい。本実施形態の場合、１組の谷折り線１０は、４つの側面部２，３，４，５にそれぞれ配置されていることが好ましい。
【００４２】
また、４つの側面部２，３，４，５が、図２に示すように、谷折り線１０で折り畳まれていないとき（すなわち載置台１の展開状態のとき）に、同一の大きさの長方形状にそれぞれ形成されており、４つの側面部２，３，４，５がそれぞれ１組の谷折り線１０を有する場合を考える。このとき、４つの側面部２，３，４，５のうちのある１つの側面部（例えば正面部２）に配置された谷折り線１０は、谷折り線１０で折り畳まれたときに、ある１つの側面部（例えば正面部２）に隣接する他の２つの側面部（例えば右側面部３，左側面部５）に配置された近接する谷折り線１０と互いに接触することが好ましい。例えば、図１０に示すように、背面部４に配置された左側谷折り線１０は、谷折り線１０で折り畳まれたときに、右側面部３に配置された右側谷折り線１０と互いに接触する。
【００４３】
［１−２］蓋面部６，７
蓋面部６，７は、４つの側面部２，３，４，５に囲まれていない上方及び下方のうち少なくとも上方に配置される。蓋面部６，７は、本発明の載置台１の載置面として機能する。また、蓋面部６，７が上記両方に配置される場合、蓋面部６，７は、上方側となる第１蓋面部６と、下方側となる第２蓋面部７と、により構成される。
【００４４】
なお、下方側は、明細書の説明のため、任意に選択された一方を上方側として命名されたものである。そのため、載置台１の使用状態において、載置台１の向きを変えることにより、それらの名称を適宜交換することが可能である。
【００４５】
蓋面部６，７が４つの側面部２，３，４，５に囲まれていない上方のみに配置される場合、蓋面部６，７は、正面部２若しくは背面部４の上方、又は、右側面部３若しくは左側面部５の下方に接続される。それに対し、蓋面部６，７が４つの側面部２，３，４，５に囲まれていない両方に配置される場合、第１蓋面部６は正面部２若しくは背面部４の上方に接続されており、第２蓋面部７は右側面部３若しくは左側面部５の下方に接続される。側面部２，３，４，５が長方形の場合、正面部２若しくは背面部４の上方は、正面部２若しくは背面部４の上辺２１，４１である。また、右側面部３若しくは左側面部５の下方は、右側面部３若しくは左側面部５の下辺３２，５２である。
【００４６】
また、蓋面部６，７は、２つの側辺６１，７１を有する。蓋面部６，７が正面部２若しくは背面部４の上方に接続される場合、蓋面部６，７の側辺６１，７１は、右側面部３若しくは左側面部５の上方側頂点間に配置されることが好ましい。正面部２及び背面部４がその折り畳み前に長方形状に形成されている場合、右側面部３若しくは左側面部５の上方側頂点間は、右側面部３若しくは左側面部５の上辺側頂点間３１Ｅ，３１Ｅ若しくは５１Ｅ，５１Ｅとなる。
【００４７】
一方、蓋面部６，７が右側面部３若しくは左側面部５の下方に接続される場合、蓋面部６，７の側辺６１，７１は、正面部２若しくは背面部４の下方側頂点間に配置されることが好ましい。右側面部３及び左側面部５がその折り畳み前に長方形に形成されている場合、正面部２若しくは背面部４の下方側頂点間は、正面部２若しくは背面部４の下辺側頂点間２２Ｅ，２２Ｅ若しくは４２Ｅ，４２Ｅとなる。
【００４８】
また、蓋面部６，７は、４つの側面部２，３，４，５に囲まれていない上方及び下方のうち少なくとも上方において、内蓋面部６２若しくは７２と、外蓋面部６３若しくは７３と、により構成されていることが好ましい。それに対し、蓋面部６，７が上方側の第１蓋面部６と下方側の第２蓋面部７とにより構成されている場合、第１蓋面部６が第１内蓋面部６２と、第１外蓋面部６３と、により構成されていると共に、第２蓋面部７が第２内蓋面部７２と、第２外蓋面部７３と、により構成されていることが好ましい。
【００４９】
上記の場合、内蓋面部６２若しくは７２又は第１内蓋面部６２は、正面部２若しくは背面部４の上方のどちらか一方に接続されており、外蓋面部６３若しくは７３又は第１外蓋面部６３は、正面部２若しくは背面部４の上方のどちらか他方に接続されている。また、第２内蓋面部７２は、右側面部３若しくは左側面部５の下方のどちらか一方に接続されており、第２外蓋面部７３は、右側面部３若しくは左側面部５の下方のどちらか他方に接続される。
【００５０】
また、蓋面部６，７又は内蓋面部６２若しくは７２は、図２に示すように、開口部６５を有することが好ましい。開口部６５の大きさは、載置台１の内部に収納する物の大きさに応じて設定されている。なお、載置台１の内部に収納する物が液体である場合、ビニル袋などの液体非透過部材を用いて載置台１の内部を覆うことが好ましい。
【００５１】
［１−３］フラップ部
第１フラップ部８は、いわゆる上方側に位置する１又は２つのフラップ部であり、右側面部３及び／若しくは左側面部５の上方に接続することが好ましい。
【００５２】
また、第２フラップ部９は、いわゆる下方側に位置する１又は２つのフラップ部であり、正面部２及び／若しくは背面部４の下方に接続することが好ましい。
【００５３】
第１フラップ部８及び／又は第２フラップ部９は、図２、図１０及び図１１、又は、図１２及び図１３に示すように、１又は２以上の谷折り線２０を有していることが好ましい。この場合、１又は２以上の谷折り線２０は、右側面部３及び／若しくは左側面部５の境界線、並びに／又は、正面部２及び／若しくは背面部４の境界線から伸びる。また、第１フラップ部８及び／又は第２フラップ部９に設けられた谷折り線２０が折り曲げられたとき、第１フラップ部８及び／又は第２フラップ部９は、境界線に接触する。
【００５４】
なお、本実施形態の載置台１の場合、１又は２以上の谷折り線２０は、右側面部３及び／若しくは左側面部５に設けられた谷折り線１０、並びに／又は、正面部２及び／若しくは背面部４に設けられた谷折り線１０から伸びている。また、本実施形態の側面部２，３，４，５は谷折り線１０で折り畳まれる前に長方形状に形成されているため、右側面部３及び／若しくは左側面部５の境界線は右側面部３及び／若しくは左側面部５の上辺３１，５１となり、正面部２及び／若しくは背面部４の境界線は正面部２及び／若しくは背面部４の下辺２２，４２となる。
【００５５】
また、第１フラップ部８及び／又は第２フラップ部９は、それぞれ側辺８１，９１を有することが好ましい。第１フラップ部８及び第２フラップ部９の側辺８１，９１とは、側面部２，３，４，５の辺にすべて接触している辺以外の辺を指す。
【００５６】
そして、第１フラップ部８の谷折り線２０が折り曲げられたとき、第１フラップ部８の側辺８１は、右側面部３若しくは左側面部５の上方側頂点間の付近に配置されることが好ましい。また、第２フラップ部９の谷折り線２０が折り曲げられたとき、第２フラップ部９の側辺９１は、正面部２若しくは背面部４の下方側頂点間の付近に配置されることが好ましい。
【００５７】
［２］効果
次に、本実施形態の載置台１の効果を説明する。
【００５８】
（１）本実施形態の載置台１は、四方に配置された４つの側面部２，３，４，５と、４つの側面部２，３，４，５に囲まれていない上方及び下方のうち少なくとも上方に配置される蓋面部６，７と、により構成されており、４つの側面部２，３，４，５のうちの右側面部３及び左側面部５は、少なくとも１組の谷折り線１０を有しており、右側面部３及び左側面部５における１組の谷折り線１０は、それらの各上方部の間隔がそれらの各下方部の間隔よりも近づくように傾いていることを特徴とする。
【００５９】
これにより、１組の谷折り線１０に基づき折り畳まれた右側面部３及び左側面部５の断面がその上方から下方に向かって広がる略コの字断面になるため、右側面部３及び左側面部５における上下方向及び横方向の強度を同時に高めることができる。その結果、本実施形態の載置台１は従来の載置台１と比較してその上下方向及び横方向の強度を高めることができるので、椅子、テーブル、作業台、踏み台などとして使用することができる。
【００６０】
（２）また、本実施形態の載置台１において、４つの側面部２，３，４，５のうちの正面部２及び背面部４は、少なくとも１組の谷折り線１０を有しており、正面部２及び背面部４における１組の谷折り線１０は、それらの各下方部の間隔がそれらの各上方部の間隔よりも近づくように傾いていることを特徴とすることが好ましい。
【００６１】
これにより、１組の谷折り線１０に基づき折り畳まれた正面部２及び背面部４の断面がその下方から上方に向かって広がる略コの字断面になると共に、正面部２及び背面部４の略コの字断面の広がり方が右側面部３及び左側面部５における略コの字断面の広がり方に対して逆向きになる。そのため、略コの字断面が交互に配置されるので、略コの字断面の同方向配置と比較して、本実施形態の載置台１の形状を上方に先細りさせることなくその強度をさらに高めることができる。
【００６２】
（３）また、本実施形態の載置台１において、４つの側面部２，３，４，５は、谷折り線１０で折り畳まれていないときに、長方形状に形成されており、１組の谷折り線１０は、右側面部３及び左側面部５の上辺３１，５１の中点３１Ｍ，５１Ｍからそれらの下辺３２，５２の各端部３２Ｅ，５２Ｅの間、又は、正面部２及び背面部４の下辺２２，４２の中点２２Ｍ，４２Ｍからそれらの上辺２１，４１の各端部２１Ｅ，４１Ｅの間、に配置されることを特徴とすることが好ましい。
【００６３】
これにより、上記した略コの字断面を有する側面部２，３，４，５の形状を長方形にすることができるので、本実施形態の載置台１の展開図を直方体形状の箱の展開図に近づけることができる。
【００６４】
（４）また、本実施形態の載置台１において、４つの側面部２，３，４，５は、谷折り線１０で折り畳まれていないときに、同じ大きさの長方形状に形成されており、１組の谷折り線１０は、右側面部３及び左側面部５の上辺３１，５１の中点３１Ｍ，５１Ｍからそれらの下辺３２，５２の各端部３２Ｅ，５２Ｅの間、並びに、正面部２及び背面部４の下辺２２，４２の中点２２Ｍ，４２Ｍからそれらの上辺２１，４１の各端部２１Ｅ，４１Ｅの間、にそれぞれ配置されており、４つの側面部２，３，４，５のうちのある１つの側面部２，３，４，５に配置された谷折り線１０は、谷折り線１０で折り畳まれたときに、ある１つの側面部２，３，４，５に隣接する他の２つの側面部２，３，４，５に配置された近接する谷折り線１０と互いに接触することを特徴とすることが好ましい。
【００６５】
これにより、４つの側面部２，３，４，５が接触することによりそれら４つの側面部２，３，４，５が互いに支え合うため、本発明の載置台１の強度をさらに高めることができる。
【００６６】
（５）また、本実施形態の載置台１は、右側面部３及び／若しくは左側面部５の上方に接続する第１フラップ部８、並びに／又は、正面部２及び／若しくは背面部４の下方に接続する第２フラップ部９、を更に備えることを特徴とすることが好ましい。
【００６７】
これにより、フラップ部が側面部２，３，４，５の横方向に対するスタビライザーとなるため、谷折り線１０に基づき谷折りされた側面部２，３，４，５が横方向に揺動することを防止することができる。
【００６８】
（６）また、本実施形態の載置台１において、第１フラップ部８及び／又は第２フラップ部９は、右側面部３及び／若しくは左側面部５の境界線、並びに／又は、正面部２及び／若しくは背面部４の境界線から伸びる１又は２以上の谷折り線２０を有しており、第１フラップ部８及び／又は第２フラップ部９は、谷折り線２０が折り曲げられたとき、境界線に接触することを特徴とすることが好ましい。
【００６９】
これにより、谷折り線１０を有する側面部２，３，４，５が境界線を介してフラップ部を支持するので、フラップ部の上に重なる蓋面部６，７の補強板としてフラップ部を構成することができる。
【００７０】
（７）また、本実施形態の載置台１において、第１フラップ部８及び／又は第２フラップ部９は、谷折り線２０が折り曲げられたとき、右側面部３若しくは左側面部５の上方側頂点間又は正面部２若しくは背面部４の下方側頂点間の付近に配置される側辺８１，９１を有することが好ましい。
【００７１】
これにより、谷折り線１０を有する側面部２，３，４，５が境界線を介して支持するフラップ部の面積が最大化するので、フラップ部が接続された側面部２，３，４，５の揺動防止及び蓋面部６，７の補強をいずれも最大化することができる。
【００７２】
（８）また、本実施形態の載置台１において、蓋面部６，７は、正面部２若しくは背面部４の上方、及び／又は、右側面部３若しくは左側面部５の下方、に接続していると共に、右側面部３若しくは左側面部５の上方側頂点間、又は、正面部２若しくは背面部４の下方側頂点間、に配置される各側辺６１，７１を有することを特徴とすることが好ましい。
【００７３】
これにより、谷折り線１０を有する側面部２，３，４，５が境界線を介して蓋面部６，７を支持するので、蓋面部６，７の強度を下げることなくその蓋面部６，７の面積を最大化することができる。また、本実施形態の載置台１の形状を略四角柱に近づけることができる。
【００７４】
（９）また、本実施形態の載置台１において、蓋面部６，７は、正面部２若しくは背面部４の上方のどちらか一方、及び／又は、右側面部３若しくは左側面部５の下方のどちらか一方に接続される内蓋面部６，７と、正面部２若しくは背面部４の上方のどちらか他方、及び／又は、右側面部３若しくは左側面部５の下方のどちらか他方に接続される外蓋面部６，７と、により構成されていることを特徴とすることが好ましい。
【００７５】
これにより、蓋面部６，７が上方又は下方の同方向において２枚構造になるため、蓋面部６，７の強度を高めることができる。
【００７６】
（１０）また、本実施形態の載置台１において、蓋面部６，７又は内蓋面部６，７は、開口部６５を有することを特徴とすることが好ましい。
【００７７】
これにより、蓋面部６，７を開けることなく、又は、外蓋面部６，７を開けるだけで、本実施形態の載置台１を収納箱として使用することができる。
【００７８】
（１１）また、本実施形態の載置台１は、ダンボール板若しくはプラスティック板などの可撓板、又は、折り線に沿って形作られた剛性板と剛性板を折り畳み自在に接続する接続部材とにより構成された複合板、を用いて構成されていると共に、折り線を折り曲げることにより展開状態から使用状態へ相互に変形自在に構成されていることを特徴とすることが好ましい。
【００７９】
これにより、台として使用するには強度が弱い材料を用いた場合でも載置台１の強度を高めることができる。
【００８０】
すなわち、本実施形態の載置台１によれば、載置台１の強度を高める構造を利用することにより、強度が弱い材料を用いても載置台１の強度を高めることができるという効果を奏する。
【００８１】
なお、本発明は、前述した実施形態などに限定されるものではなく、必要に応じて種々の変更が可能である。
【符号の説明】
【００８２】
１  載置台
２  正面部（側面部）
３  右側面部（側面部）
４  背面部（側面部）
５  左側面部（側面部）
６  第１蓋面部（天面側の蓋面部）
７  第２蓋面部（底面側の蓋面部）
８  第１フラップ部
９  第２フラップ部
１０  （側面部の）谷折り線
２０  （フラップ部の）谷折り線
２１  正面部の上辺
２１Ｅ  正面部の上辺の端部
２２  正面部の下辺
２２Ｅ  正面部の下辺の端部（下辺側頂点）
２２Ｍ  正面部の下辺の中点
３１  右側面部の上辺
３１Ｅ  右側面部の上辺の端部（上辺側頂点）
３１Ｍ  右側面部の上辺の中点
３２  右側面部の下辺
３２Ｅ  右側面部の下辺の端部
４１  背面部の上辺
４１Ｅ  背面部の上辺の端部
４２  背面部の下辺
４２Ｅ  背面部の下辺の端部（下辺側頂点）
４２Ｍ  背面部の下辺の中点
５１  左側面部の上辺
５１Ｅ  左側面部の上辺の端部（上辺側頂点）
５１Ｍ  左側面部の上辺の中点
５２  左側面部の下辺
５２Ｅ  左側面部の下辺の端部
６１  第１蓋面部の側辺
６２  第１内蓋面部（内蓋面部）
６３  第１外蓋面部（外蓋面部）
６５  開口部
７１  第２蓋面部の側辺
７２  第２内蓋面部
７３  第２外蓋面部
８１  第１フラップ部の側辺
９１  第２フラップ部の側辺
【図１】
2017148198.tif 000003
【図２】
2017148198.tif 000004
【図３】
2017148198.tif 000005
【図４】
2017148198.tif 000006
【図５】
2017148198.tif 000007
【図６】
2017148198.tif 000008
【図７】
2017148198.tif 000009
【図８】
2017148198.tif 000010
【図９】
2017148198.tif 000011
【図１０】
2017148198.tif 000012
【図１１】
2017148198.tif 000013
【図１２】
2017148198.tif 000014
【図１３】
2017148198.tif 000015